(57)【特許請求の範囲】
【請求項１】
端末装置からの着信時に端末装置からの通報データを電話回線を介して受信し、端末装置への発信時に端末装置にデータを要求する集中監視システムにおけるデータ送受信装置において、
前記発信時に前記データを変調し、前記着信時に前記端末装置からの通報データを復調する変復調部と、
この変復調部を発信専用または着信専用に設定するための発信着信設定データが記憶された記憶部と、
この記憶部に記憶された発信着信設定データに基づき前記変復調部を発信専用または着信専用に設定する発信着信設定部と、
を備え、
電源を投入して起動させた際に、前記変復調部に対してデフォルトを発信専用に設定することを特徴とする集中監視システムにおけるデータ送受信装置。
【請求項２】
ホストコンピュータから送られてくる変更コマンドに基づき前記記憶部に記憶された前記発信着信設定データを書き換える記憶制御部を備え、
前記発信着信設定部は、前記記憶制御部により書き換えられた前記発信着信設定データに基づき前記変復調部の発信専用または着信専用の設定を変更することを特徴とする請求項１記載の集中監視システムにおけるデータ送受信装置。
【請求項３】
複数の端末装置からの複数の着信を制御して複数の端末装置からの通報データを複数の電話回線を介して受信し、各端末装置への発信時に各端末装置にデータを要求する集中監視システムにおけるデータ送受信装置において、
前記複数の電話回線に対応して設けられ、前記発信時に前記データを変調し、前記着信時に前記端末装置からの通報データを復調する複数の変復調部と、
各変復調部毎に前記変復調部を発信専用または着信専用に設定するための発信着信設定データが記憶された記憶部と、
この記憶部に記憶された各変復調部毎の前記発信着信設定データに基づき各変復調部毎に前記変復調部を発信専用または着信専用に設定する発信着信設定部と、
を備え、
電源を投入して起動させた際に、前記複数の変復調部に対してデフォルトを発信専用に設定することを特徴とする集中監視システムにおけるデータ送受信装置。
【請求項４】
ホストコンピュータから送られてくる変復調部を指定した情報を含む変更コマンドに基づき前記記憶部に記憶された各変復調部毎の前記発信着信設定データの内、前記変更コマンドに対応する指定された変復調部の発信着信設定データを書き換える記憶制御部を備え、
前記発信着信設定部は、前記記憶制御部により書き換えられ且つ指定された変復調部の発信着信設定データに基づき指定された変復調部の発信専用または着信専用の設定を変更することを特徴とする請求項３記載の集中監視システムにおけるデータ送受信装置。
【請求項５】
前記複数の変復調部の内の少なくとも１つの変復調部は、発信専用に設定され、且つ他の１つの変復調部は、着信専用に設定されることを特徴とする請求項３記載の集中監視システムにおけるデータ送受信装置。
【発明の詳細な説明】
【０００１】
【発明の属する技術分野】
本発明は、端末装置からの異常情報または緊急情報を含む通報データを受信したり、端末装置にデータを送信する集中監視システムにおけるデータ送受信装置に関する。
【０００２】
【従来の技術】
電話回線を利用してガスの自動検針を行うガス集中監視システムにおいては、集中監視センタと複数の端末である複数のガスメータとが設けられ、集中監視センタは、複数のガスメータのガス検針情報やガス漏れ検出情報を受信したり、データの送信を行うデータ送受信装置を備えている。
【０００３】
そして、例えば、あるガスメータがガス漏れを検出すると、このガスメータは、ガス漏れ検出情報、ユーザＩＤを含む通報データを所定の電文形式で電話回線を介して集中監視センタに送信する。
【０００４】
すると、集中監視センタ内のデータ送受信装置は、複数のガスメータからのガス漏れ検出情報等の通報データを通信回線を介して受信し、各ガスメータからの通報データを順番に受信バッファメモリに記憶し、各端末からの通報データを管理している。そして、受信バッファメモリに記憶された通報データをホストコンピュータへ転送したり、あるいはホストコンピュータからのコマンドを受けて、データをホストコンピュータに転送していた。
【０００５】
この場合に、ガス集中監視システムにおけるデータ送受信装置は、図７に示すように、発信専用データ送受信装置１０１と着信専用データ送受信装置１０２とからなる。発信専用データ送受信装置１０１は、自動ダイヤル発信を行い、電話回線１０３（ノーリンギング通信回線）、公衆電話回線網１０５、電話回線１０６を介して端末装置１０７に接続し、端末装置１０７に対してガス検針情報等の要求を行う。
【０００６】
また、着信専用データ送受信装置１０２は、端末装置１０７からの通報データを受信する。
【０００７】
【発明が解決しようとする課題】
しかしながら、従来の集中監視システム内のデータ送受信装置にあっては、発信専用データ送受信装置１０１と着信専用データ送受信装置１０２からなり、発信専用データ送受信装置１０１と着信専用データ送受信装置１０２とは組み込まれた回路が異なるため、ガス集中監視システムを構築する際に、それぞれの装置を必要に応じて導入しなければならず、コスト高になっていた。
【０００８】
また、これらの装置を利用したガス集中監視システムにおいて、運用形態に変更を生じた場合に、これに対応することができず、汎用性に欠けていた。
【０００９】
本発明は、コストを低減することができ、しかも汎用性を向上することができる集中監視システムにおけるデータ送受信装置を提供することを課題とする。
【００１０】
【課題を解決するための手段】
本発明は、前記課題を解決するために以下の手段を採用した。請求項１の発明の集中監視システムにおけるデータ送受信装置は、端末装置からの着信時に端末装置からの通報データを電話回線を介して受信し、端末装置への発信時に端末装置にデータを要求する集中監視システムにおけるデータ送受信装置において、前記発信時に前記データを変調し、前記着信時に前記端末装置からの通報データを復調する変復調部と、この変復調部を発信専用または着信専用に設定するための発信着信設定データが記憶された記憶部と、この記憶部に記憶された発信着信設定データに基づき前記変復調部を発信専用または着信専用に設定する発信着信設定部とを備え、電源を投入して起動させた際に、前記変復調部に対してデフォルトを発信専用に設定することを特徴とする。
【００１１】
この発明によれば、発信着信設定部は、記憶部に記憶された変復調部を発信専用または着信専用に設定するための発信着信設定データに基づき変復調部を発信専用または着信専用に設定するので、変復調部は、発信専用に設定された場合には、データを変調して端末装置に発信する。また、変復調部は、着信専用に設定された場合には、端末装置からの通報データを復調して受信する。
【００１２】
すなわち、変復調部を発信専用または着信専用に設定できるので、従来のように発信専用データ送受信装置と着信専用データ送受信装置を用いるよりもコストを大幅に低減することができる。また、電源を投入して起動させた際に、変復調部に対してデフォルトを発信専用に設定することができる。
【００１３】
請求項２の発明は、ホストコンピュータから送られてくる変更コマンドに基づき前記記憶部に記憶された前記発信着信設定データを書き換える記憶制御部を備え、前記発信着信設定部は、前記記憶制御部により書き換えられた前記発信着信設定データに基づき前記変復調部の発信専用または着信専用の設定を変更することを特徴とする。
【００１４】
この発明によれば、記憶制御部は、ホストコンピュータから送られてくる変更コマンドに基づき記憶部に記憶された発信着信設定データを書き換え、発信着信設定部は、記憶制御部により書き換えられた発信着信設定データに基づき変復調部の発信専用または着信専用の設定を変更するので、変復調部を発信専用から着信専用に切り換えたり、あるいは着信専用から発信専用に任意に切り換えて利用することができる。これによって、ユーザの運用形態に変更を生じた場合でも、対応することができ、汎用性を向上することができる。
【００１５】
請求項３の発明は、複数の端末装置からの複数の着信を制御して複数の端末装置からの通報データを複数の電話回線を介して受信し、各端末装置への発信時に各端末装置にデータを要求する集中監視システムにおけるデータ送受信装置において、前記複数の電話回線に対応して設けられ、前記発信時に前記データを変調し、前記着信時に前記端末装置からの通報データを復調する複数の変復調部と、各変復調部毎に前記変復調部を発信専用または着信専用に設定するための発信着信設定データが記憶された記憶部と、この記憶部に記憶された各変復調部毎の前記発信着信設定データに基づき各変復調部毎に前記変復調部を発信専用または着信専用に設定する発信着信設定部と備え、電源を投入して起動させた際に、前記複数の変復調部に対してデフォルトを発信専用に設定することを特徴とする。
【００１６】
この発明によれば、発信着信設定部は、記憶部に記憶された各変復調部毎の発信着信設定データに基づき各変復調部毎に変復調部を発信専用または着信専用に設定するので、各変復調部は、発信専用に設定された場合には、データを変調して端末装置に発信する。また、各変復調部は、着信専用に設定された場合には、端末装置からの通報データを復調して受信する。
【００１７】
すなわち、各変復調部毎に発信専用または着信専用に設定できるので、コストを大幅に低減することができ、複数の変復調部を持つことで、発信、着信の両方の機能を持つことができる。これによって、集中監視システムのコストをさらに低減することができる。また、電源を投入して起動させた際に、複数の変復調部に対してデフォルトを発信専用に設定することができる。
【００１８】
請求項４の発明は、ホストコンピュータから送られてくる変復調部を指定した情報を含む変更コマンドに基づき前記記憶部に記憶された各変復調部毎の前記発信着信設定データの内、前記変更コマンドに対応する指定された変復調部の発信着信設定データを書き換える記憶制御部を備え、前記発信着信設定部は、前記記憶制御部により書き換えられ且つ指定された変復調部の発信着信設定データに基づき指定された変復調部の発信専用または着信専用の設定を変更することを特徴とする。
【００１９】
この発明によれば、記憶制御部は、ホストコンピュータから送られてくる変復調部を指定した情報を含む変更コマンドに基づき記憶部に記憶された各変復調部毎の発信着信設定データの内、変更コマンドに対応する指定された変復調部の発信着信設定データを書き換え、発信着信設定部は、書き換えられ且つ指定された変復調部の発信着信設定データに基づき指定された変復調部の発信専用または着信専用の設定を変更するので、各変復調部毎に変復調部を発信専用から着信専用に切り換えたり、あるいは着信専用から発信専用に任意に切り換えて利用することができる。これによって、ユーザの運用形態に変更を生じた場合でも、対応することができ、汎用性を向上することができる。
【００２０】
請求項５の発明のように、前記複数の変復調部の内の少なくとも１つの変復調部は、発信専用に設定され、且つ他の１つの変復調部は、着信専用に設定されることを特徴とする。
【００２１】
さらには、１つの変復調部を発信専用に設定し、他の１つの変復調部を着信専用に設定することもできる。すなわち、複数の変復調部を持つことで、発信、着信の両方の機能を持つことができる。
【００２２】
【発明の実施の形態】
以下、本発明の集中監視システムにおけるデータ送受信装置の実施の形態を図面を参照して説明する。図１に実施の形態の集中監視システムにおけるデータ送受信装置の構成ブロック図を示す。図２に実施の形態のガス集中監視システムの構成ブロック図を示す。
【００２３】
このガス集中監視システムにおいて、図２に示すように、データ送受信装置１は、図示しない集中監視センタに設けられ、自動ダイヤル発信を行い、電話回線（ノーリンギング通信回線、一般回線）４、公衆電話回線網５、電話回線６を介して端末装置７に接続し、端末装置７に対してガス検針情報等の要求を行ったり、端末装置７からの電話回線４による複数の着信を制御し、端末装置７からの通報データを受信する。
【００２４】
端末装置７は、ガスメータであり、端末発信によりガス検針値情報、ガス漏れ検出情報等の異常情報の通報データを電話回線６、公電話回線網５、電話回線４（ノーリンギング通信回線、一般回線）を介してデータ送受信装置１に送信する。なお、端末装置７は、災害時に緊急情報を送信しても良い。データ送受信装置１と端末装置７との間の通信における電文は、端末装置７のユーザＩＤ、通報データ等から構成されている。
【００２５】
データ送受信装置１には、図１に示すように、ＲＳ−２３２Ｃケーブル２を介してホストコンピュータ３が接続され、データ送受信装置１は、ホストコンピュータ３との間で通報データ等のデータの送受信を行う。データ送受信装置１は、第１の変復調部１１ａ、第２の変復調部１１ｂ、第３の変復調部１１ｃ、これらの変復調部にバス１４を介して接続されるメインボート１５を有する。
【００２６】
第１の変復調部１１ａには局線（Ｌ１，Ｌ２）が接続され、第１の変復調部１１ａは、データの変調及び復調を行うもので、電話回線を制御するネットワークコントロールユニット（ＮＣＵ）１２ａ、入出力部１３ａを有して構成される。第２の変復調部１１ｂ、及び第３の変復調部１１ｃも、第１の変復調部１１ａの構成と同一に構成されている。
【００２７】
各変復調部は、後述するように、発信専用または着信専用に設定され、発信専用に設定された場合には、データを変調し、着信専用に設定された場合には、端末装置７からのデータを復調するようになっている。
【００２８】
メインボート１５は、中央処理装置（ＣＰＵ）１６、メモリ１７を有するとともに、ＣＰＵ１６とホストコンピュータ３との入出力を司るＲＳ−２３２Ｃインターフェイス部（ＲＳ−２３２Ｃ  Ｉ／Ｆ）１８を有する。
【００２９】
メモリ１７は、各変復調部１１ａ〜１１ｃ毎に各変復調部１１ａ〜１１ｃを発信専用または着信専用のいずれかに設定すべきかを示す発信着信設定データを記憶したり、ホストコンピュータ３からのモデム設定コマンドにより発信または着信の設定変更がなされたときに、変更された発信着信設定データを記憶する。
【００３０】
ＣＰＵ１６は、入出力部１９、発信処理制御部２０、着信処理制御部２１、Ｉ／Ｆ制御部２２、入出力部１９を制御するＩ／Ｏ制御部２３、メモリ制御部２４を有して構成される。
【００３１】
メモリ制御部２４は、メモリ１７に発信着信設定データを書き込んだり、あるいは発信着信設定データを読み出したり、ホストコンピュータ３からのモデム設定コマンドにより設定変更された発信着信設定データを書き込む。
【００３２】
発信処理制御部２０は、メモリ制御部２４で読み出した発信設定の発信着信設定データにより対応する変復調部を発信専用に設定する。着信処理制御部２１は、メモリ制御部２４で読み出した着信設定の発信着信設定データにより対応する変復調部を着信専用に設定する。さらに、データ送受信装置１は、入出力部Ｉ／Ｏ  インターフェイス部Ｉ／Ｆ２５、及び各部を動作させるための電源２６を有している。
【００３３】
次に、このように構成された実施の形態のデータ送受信装置の変復調部への発信専用または着信専用の設定を図３に示すフローチャートを参照して説明する。まず、メモリ制御部２４がメモリ１７に記憶された各変復調部毎の発信着信設定データを読み出し（ステップＳ１１）、発信着信設定データが発信設定または着信設定のいずれかに設定されているかを判定する（ステップＳ１３）。
【００３４】
発信着信設定データが発信設定データ、例えば、そのデータの値が‘１’であれば、発信処理制御部２０は、対応する変復調部を発信専用に設定する（ステップＳ１５）。すなわち、変復調部の内の変調部のみの機能を動作させることで端末装置７への発信を行うことができる。
【００３５】
一方、発信着信設定データが着信設定データ、例えば、そのデータの値が‘０’であれば、着信処理制御部２１は、対応する変復調部を着信専用に設定する（ステップＳ１７）。すなわち、変復調部の内の復調部のみの機能を動作させることで端末装置７からのデータを受信することができる。
【００３６】
このように、既存の変復調部を用い、各変復調部毎に発信専用または着信専用に設定できるので、従来のように発信専用データ送受信装置と着信専用データ送受信装置を用いるよりもコストを大幅に低減することができる。
【００３７】
また、各変復調部毎に発信専用または着信専用を設定できるので、全ての変復調部を発信専用に設定することもでき、あるいは、全ての変復調部を着信専用に設定することもできる。さらには、１つの変復調部を発信専用に設定し、他の１つの変復調部を着信専用に設定することもできる。すなわち、複数の変復調部を持つことで、発信、着信の両方の機能を持つことができる。これによって、ガス集中監視システムのコストをさらに低減することができる。
【００３８】
なお、通常では、データ送受信装置１を電源２６を投入して起動させた際に、各変復調部１１ａ〜１１ｃに対してデフォルトの発信または着信の設定が自動的に行われる。このデフォルトでは、全ての変復調部１１ａ〜１１ｃに着信設定がなされる。
【００３９】
次に、図４のフローチャートを参照して発信着信設定データの書き換え処理を説明する。まず、Ｉ／Ｆ制御部２２がホストコンピュータ３からＲＳ−２３２Ｃ  Ｉ／Ｆ１８を介して、コマンドを受信したかどうかを判定し（ステップＳ３１）、コマンドを受信した場合には、受信したコマンドがモデム設定コマンドかどうかを判定する（ステップＳ３３）。ここで、コマンドがモデム設定コマンドでなければ、そのコマンドに応じた処理を行う（ステップＳ３４）。
【００４０】
一方、コマンドがモデム設定コマンドであれば、そのモデム設定コマンドが第１の変復調部１１ａを設定変更するコマンドかどうかを判定する（ステップＳ３５）。
【００４１】
第１の変復調部１１ａを設定変更するコマンドであれば、メモリ制御部２４は、設定変更されたコマンドに応じて第１の変復調部１１ａの発信着信設定データをメモリ１７に書き込む（ステップＳ３７）。すなわち、既にメモり１７に記憶された発信着信設定データを書き換える。その後、Ｉ／Ｆ制御部２２がＲＳ−２３２ＣＩ／Ｆ１８を介して、ホストコンピュータ３にレスポンスを送信する（ステップＳ３９）。
【００４２】
また、ステップＳ３５において、第１の変復調部１１ａを設定変更するコマンドでなければ、モデム設定コマンドが第２の変復調部１１ｂを設定変更するコマンドかどうかを判定する（ステップＳ４１）。
【００４３】
第２の変復調部１１ｂを設定変更するコマンドであれば、メモリ制御部２４は、設定変更されたコマンドに応じて第２の変復調部１１ｂの発信着信設定データをメモリ１７に書き込み（ステップＳ４３）、ステップＳ３９の処理に進む。
【００４４】
さらに、ステップＳ４１において、第２の変復調部１１ｂを設定変更するコマンドでなければ、メモリ制御部２４は、設定変更されたコマンドに応じて第３の変復調部１１ｃの発信着信設定データをメモリ１７に書き込み（ステップＳ４５）、ステップＳ３９の処理に進む。
【００４５】
そして、メモリ１７に記憶された発信着信設定データを読み出して、図３に示す処理を行えば、変復調部を発信専用から着信専用に、あるいは、着信専用から発信専用に切り換えることができる。
【００４６】
このように、ホストコンピュータ３から発信または着信用の切換コマンドであるモデム設定コマンドをデータ送受信装置１に送信することで、任意に各変復調部毎に発信専用または着信専用の切り換えが可能となる。このため、ユーザの運用形態に合わせて、容易にデータ送受信装置１を発信専用または着信専用として利用することができる。すなわち、ユーザの運用形態に変更を生じた場合であっても、これに対応することができるから、汎用性を向上することができる。
【００４７】
次に、図５のフローチャートを参照してデータ送受信装置１の着信動作を説明する。まず、端末装置７が発信して、ガス漏れ検出等の通報データを電話回線を介して送信する。すると、データ送受信装置１では、端末装置７からの電話回線による着信があったかどうかを判定し（ステップＳ５１）、着信があった場合には、例えば、第１の変復調部１１ａが着信用設定になっているかどうかを判定する（ステップＳ５２）。
【００４８】
第１の変復調部１１ａが着信用設定になっている場合には、着信専用に設定された第１の変復調部１１ａにより通報データを受信して（ステップＳ５３）、その通報データを復調し、そのデータはＣＰＵ１６内の着信処理制御部２０に送られて、着信処理制御部２０により通信を制御する（ステップＳ５４）。
【００４９】
次に、メモリ制御部２４により受信した通報データをメモリ１７に記憶する（ステップＳ５５）。さらに、ホストコンピュータ３からコマンドによって受信データ（通報データ）の要求があったかを判定し（ステップＳ５６）、受信データの要求があった場合には、メモリ制御部２４がＲＳ−２３２Ｃ  Ｉ／Ｆ１８へ受信データを転送する（ステップＳ５７）。
【００５０】
さらに、ＲＳ−２３２Ｃ  Ｉ／Ｆ１８は、受信した通報データをＲＳ−２３２Ｃケーブル２を介してホストコンピュータ３に転送する（ステップＳ５８）。これにより、ホストコンピュータ３には通報データが記憶される。
【００５１】
次に、図６のフローチャートを参照してデータ送受信装置１の発信動作を説明する。まず、変復調部が発信用設定になっているかどうかを判定する（ステップＳ６１）。例えば、第２の変復調部１１ｂが発信用設定になっている場合には、第２の変復調部１１ｂを発信専用に設定する（ステップＳ６２）。
【００５２】
このステップＳ６２の処理は、通常、１度設定すれば次に設定されるまでそのまま有効になるため、同じ変復調部に対して次回の発信からはステップＳ６２の処理は省略できる。
【００５３】
次に、発信処理制御部２１は、ホストコンピュータ３からのコマンドを受けて、このコマンドを第２の変復調部１１ｂに送信するので、第２の変復調部１１ｂは、自動ダイヤル発信を行う（ステップＳ６３）。すると、端末装置７が電話回線を介して受信するので、ノーリンギング通信を開始することができる（ステップＳ６５）。
【００５４】
このように、１つの変復調部を発信専用に設定し、他の１つの変復調部を着信専用に設定することもできるので、ノーリンギング通信中であっても着信のあった端末装置７からのデータをメモリ１７にバッファリングすることができる。
【００５５】
なお、本発明は、前述した実施の形態に限定されるものではない。実施の形態では、例として、ガス集中監視システムについて説明したが、これに限定されることなく、例えば、本発明は、水道集中監視システム等に適用するようにしてもよい。
【００５６】
【発明の効果】
本発明によれば、発信着信設定部は、記憶部に記憶された変復調部を発信専用または着信専用に設定するための発信着信設定データに基づき変復調部を発信専用または着信専用に設定する。すなわち、変復調部を発信専用または着信専用に設定できるので、従来のように発信専用データ送受信装置と着信専用データ送受信装置を用いるよりもコストを大幅に低減することができる。また、電源を投入して起動させた際に、変復調部に対してデフォルトを発信専用に設定することができる。
【００５７】
また、記憶制御部は、ホストコンピュータから送られてくる変更コマンドに基づき記憶部に記憶された発信着信設定データを書き換え、発信着信設定部は、記憶制御部により書き換えられた発信着信設定データに基づき変復調部の発信専用または着信専用の設定を変更するので、変復調部を発信専用から着信専用に切り換えたり、あるいは着信専用から発信専用に任意に切り換えて利用することができる。これによって、ユーザの運用形態に変更を生じた場合でも、対応することができ、汎用性を向上することができる。
【００５８】
また、発信着信設定部は、記憶部に記憶された各変復調部毎の発信着信設定データに基づき各変復調部毎に変復調部を発信専用または着信専用に設定する。すなわち、各変復調部毎に発信専用または着信専用に設定できるので、コストを大幅に低減することができ、複数の変復調部を持つことで、発信、着信の両方の機能を持つことができる。これによって、集中監視システムのコストをさらに低減することができる。また、電源を投入して起動させた際に、複数の変復調部に対してデフォルトを発信専用に設定することができる。
【００５９】
また、記憶制御部は、ホストコンピュータから送られてくる変復調部を指定した情報を含む変更コマンドに基づき記憶部に記憶された各変復調部毎の発信着信設定データの内、変更コマンドに対応する指定された変復調部の発信着信設定データを書き換え、発信着信設定部は、書き換えられ且つ指定された変復調部の発信着信設定データに基づき指定された変復調部の発信専用または着信専用の設定を変更するので、各変復調部毎に変復調部を発信専用から着信専用に切り換えたり、あるいは着信専用から発信専用に任意に切り換えて利用することができる。これによって、ユーザの運用形態に変更を生じた場合でも、対応することができ、汎用性を向上することができる。
【００６０】
さらには、１つの変復調部を発信専用に設定し、他の１つの変復調部を着信専用に設定することもできる。
【図面の簡単な説明】
【図１】本発明の集中監視システムにおけるデータ送受信装置の実施の形態の構成ブロック図である。
【図２】実施の形態のガス集中監視システムの構成ブロック図である。
【図３】実施の形態のデータ送受信装置の変復調部への発信専用または着信専用の設定を示すフローチャートである。
【図４】発信着信設定データの書き換え処理を説明するフローチャートである。
【図５】データ送受信装置の着信動作を説明するフローチャートである。
【図６】データ送受信装置の発信動作を説明するフローチャートである。
【図７】従来のデータ送受信装置を含む集中監視システムの構成ブロック図である。
【符号の説明】
１  データ送受信装置
２  ＲＳ−２３２Ｃケーブル
３  ホストコンピュータ
４、６  電話回線
５、公衆電話回線網
７  端末装置
１１ａ  第１の変復調部
１１ｂ  第２の変復調部
１１ｃ  第３の変復調部
１２ａ〜１２ｃ  ＮＣＵ
１３ａ〜１３ｃ  入出力部
１４  バス
１５  メインボード
１６  ＣＰＵ
１７  メモリ
１８  ＲＳ−２３２Ｃ  Ｉ／Ｆ
１９  入出力部
２０  発信処理制御部
２１  着信処理制御部
２２  Ｉ／Ｆ制御部
２３  Ｉ／Ｏ制御部
２４  メモリ制御部
【図１】
0003547967.tif 000002
【図２】
0003547967.tif 000003
【図３】
0003547967.tif 000004
【図４】
0003547967.tif 000005
【図５】
0003547967.tif 000006
【図６】
0003547967.tif 000007
【図７】
0003547967.tif 000008